(57)【要約】【課題】  特殊な道具や、装置を使用することなく、高い振動検知能力を有する防犯装置として機能する光ディスク装置を提供する  【解決手段】  電気信号Ｓ４は閾値Ｇｎをこえた部分αを有している。電気信号Ｓ４が閾値Ｇｎをこえた場合、コンパレータ回路４３は「ＨＩ」信号を出力し、図２各図に示すようにオフセットが無いかごく小さい場合には、電気信号は閾値Ｇｎをこえることがなくその場合には、コンパレータ回路４３は「ＬＯ」信号を出力する。すなわち、コンパレータ回路４３は光ディスク再生装置Ａに外乱が加わっていないときは常に「ＬＯ」信号が発信されており、電気信号Ｓ４のように閾値Ｇｎをこえたときのみ「ＨＩ」信号が出力される。【選択図】      図３
2005107622.tif 000002
【特許請求の範囲】
【請求項１】
光ディスクに常時レーザ光を照射し、反射してくる光を検出して該光ディスクからデー
タを読み出す光ピックアップと、
前記光ディスクを回転可能に支持するディスク支持部材と、
前記光ピックアップから前記光ディスクに照射されたレーザ光の一部を検出して該光デ
ィスクの面振れを検出する面振れ検出手段と、
前記面振れ検出手段にて検出された面振れ量を所定値と比較する比較手段と、
前記各部の動作を制御する制御手段と、
前記制御手段に入力された前記比較手段からの比較結果に応じて外部に接続されたホス
トコンピュータに前記光ディスクが振動している旨を知らせる情報伝達手段と、を有する
光ディスク再生装置であり、
前記光ディスクは前記光ディスク再生装置に振動又は衝撃等の外乱が加えられると前記
ディスク支持部材を基準に振動し、
前記面振れ検出手段は前記光ピックアップと前記光ディスクの距離を測定することで、
該光ディスクの面振れを検出するものであり、前記光ピックアップより照射され前記光デ
ィスクにて反射してきたレーザ光を検知して電気信号に変換するフォトディテクタを有し
ており、
前記比較手段は、前記フォトディテクタより入力される電気信号と、前記制御手段より
使用者によって定められた閾値が入力され、該電気信号の電圧が閾値を越えるかどうか判
断するためコンパレータ回路を有しており、
前記情報伝達手段は前記コンパレータ回路より前記制御手段に送られてきた比較結果に
基づいて、前記電気信号の電圧が前記閾値よりも大きい場合はインターネットを通じて前
記ホストコンピュータに前記光ディスク装置に外乱が加えられていることを伝えるもので
あり、
前記ホストコンピュータはインターネットに接続されており、前記光ディスク装置は前
記ホストコンピュータに内蔵され、家屋のホストコンピュータが設置された床面の外乱を
検出し、その情報を前記ホストコンピュータに送ることで、前記ホストコンピュータが該
ホストコンピュータに接続されているスピーカを駆動して警告音を発生し、カメラにて周
囲の状況を撮影すると共に、侵入者の存在を使用者の携帯端末にインターネットを介して
電子メールにて伝える防犯装置を形成することを特徴とする光ディスク装置。
【請求項２】
光ディスクに常時レーザ光を照射し、反射してくる光を検出して該光ディスクからデー
タを読み出す光ピックアップと、
前記光ディスクを回転可能に支持するディスク支持部材と、
前記光ピックアップから前記光ディスクに照射されたレーザ光の一部を検出して該光デ
ィスクの面振れを検出する面振れ検出手段と、
前記面振れ検出手段にて検出された面振れ量を所定値と比較する比較手段と、
前記各部の動作を制御する制御手段と、を有する光ディスク装置であり、
前記光ディスクは前記光ディスク装置に振動又は衝撃等の外乱が加えられると前記ディ
スク支持部材を基準に振動し、
前記面振れ検出手段は光ディスクの面振れ量を電気信号として出力する電気信号出力装
置を備えており、
前記比較手段は、前記電気信号出力装置より入力される電気信号と、前記制御手段より
使用者によって定められた閾値が入力され、該電気信号の電圧が閾値をこえたか判断する
ためコンパレータ回路を有しており、
前記コンパレータ回路より前記制御手段に送られてきた比較結果に応じて、所定の手段
で前記光ディスク装置に振動、衝撃等の外乱が加えられていることを使用者に伝えること
を特徴とする光ディスク装置。
【請求項３】
光ディスクに常時レーザ光を照射し、反射してくる光を検出して該光ディスクからデー
タを読み出す光ピックアップと、
前記光ディスクを回転可能に支持するディスク支持部材と、
前記光ピックアップから前記光ディスクに照射されたレーザ光の一部を検出して該光デ
ィスクの面振れを検出する面振れ検出手段と、
前記面振れ検出手段にて検出された面振れ量を所定値と比較する比較手段と、
前記各部の動作を制御する制御手段と、
前記制御手段に入力された前記比較手段からの比較結果に応じて外部に接続されたホス
トコンピュータに前記光ディスクが振動している旨を知らせる情報伝達手段と、を有する
光ディスク装置であり、
前記光ディスクは前記光ディスク装置に振動又は衝撃等の外乱が加えられると前記ディ
スク支持部材を基準に振動し、
前記面振れ検出手段は前記光ピックアップと前記光ディスクの距離を測定することで、
該光ディスクの面振れを検出するものであり、前記光ピックアップより照射され前記光デ
ィスクにて反射してきたレーザ光を検知して電気信号に変換するフォトディテクタを有し
ており、
前記比較手段は、前記フォトディテクタより入力される電気信号と、前記制御手段より
使用者によって定められた閾値が入力され、該電気信号の電圧が閾値を越えるかどうか判
断するためコンパレータ回路を有しており、
前記情報伝達手段は前記コンパレータ回路より前記制御手段に送られてきた比較結果に
基づいて、前記電気信号の電圧が前記閾値よりも大きい場合はインターネットを通じて前
記ホストコンピュータに前記光ディスク装置に外乱が加えられていることを伝えるもので
あり、
前記ホストコンピュータはインターネットに接続されており、前記光ディスク装置は前
記ホストコンピュータに内蔵される機器であり、家屋のホストコンピュータが設置された
床面の外乱を検出し、その情報を前記ホストコンピュータに送ることで、侵入者の存在を
使用者の携帯情報端末にインターネットを介して電子メールにて伝える防犯装置を形成す
ることを特徴とする光ディスク装置。
【請求項４】
前記光ディスク装置は内蔵されるかわりに、前記ホストコンピュータの外部に外部機器
として接続されており、前記光ディスク装置は前記家屋の床面、窓、ドアの少なくとも１
箇所に接触して配置されることを特徴とする請求項１又は請求項３に記載の光ディスク装
置。
【請求項５】
光ディスクに常時レーザ光を照射し、反射してくる光を検出して該光ディスクからデー
タを読み出す光ピックアップと、
前記光ディスクを回転可能に支持するディスク支持部材と、
前記光ピックアップから前記光ディスクに照射されたレーザ光の一部を検出して該光デ
ィスクの面振れを検出する面振れ検出手段と、
前記面振れ検出手段にて検出された面振れ量を所定値と比較する比較手段と、
前記各部の動作を制御する制御手段と、
前記制御手段に入力された前記比較手段からの比較結果に応じて前記光ディスクが振動
している旨を外部に知らせる情報伝達手段と、を有する光ディスク再生装置であり、
前記光ディスクは前記光ディスク装置に振動又は衝撃等の外乱が加えられると前記ディ
スク支持部材を基準に振動し、
前記面振れ検出手段は前記光ピックアップと前記光ディスクの距離を測定することで、
該光ディスクの面振れを検出するものであり、前記光ピックアップより照射され前記光デ
ィスクにて反射してきたレーザ光を検知して電気信号に変換するフォトディテクタを有し
ており、
前記比較手段は、前記フォトディテクタより入力される電気信号と、前記制御手段より
使用者によって定められた閾値が入力され、該電気信号の電圧が閾値をこえたか判断する
ためコンパレータ回路を有しており、
前記情報伝達手段は前記コンパレータ回路より前記制御手段に送られてきた比較結果に
基づいて、前記電気信号の電圧が前記閾値よりも大きい場合は外部に前記光ディスク装置
に外乱が加えられていることを伝えるものであり、
前記情報伝達手段は使用者が持っている端末に電波にて情報を伝達すると共に、別途設
けられているスピーカから音声を発生することで使用者及び周囲の人間に警告を発するも
のであり、
自動車内の所定の場所に設置され、自動車の車両の外部に振動及び衝撃等の外乱が加わ
ると前記光ディスクが振動し、その情報を前記情報伝達手段に送ることで、前記情報伝達
手段が前記スピーカを駆動して警告音を発生し、車両の外部に外乱が加わっていることを
使用者が持っている端末に電波を発信して伝えることで防犯装置を形成することを特徴と
する光ディスク装置。
【請求項６】
光ディスクに常時レーザ光を照射し、反射してくる光を検出して該光ディスクからデー
タを読み出す光ピックアップと、
前記光ディスクを回転可能に支持するディスク支持部材と、
前記光ピックアップから前記光ディスクに照射されたレーザ光の一部を検出して該光デ
ィスクの面振れを検出する面振れ検出手段と、
前記面振れ検出手段にて検出された面振れ量を所定値と比較する比較手段と、
前記各部の動作を制御する制御手段と、
前記制御手段に入力された前記比較手段からの比較結果に応じて前記光ディスクが振動
している旨を外部に知らせる情報伝達手段と、を有する光ディスク装置であり、
前記光ディスクは前記光ディスク装置に振動又は衝撃等の外乱が加えられると前記ディ
スク支持部材を基準に振動し、
前記面振れ検出手段は前記光ピックアップと前記光ディスクの距離を測定することで、
該光ディスクの面振れを検出するものであり、前記光ピックアップと前記光ディスクの距
離を電気信号として出力し、
前記比較手段は、前記面振れ検出手段より入力される電気信号と、前記制御手段より使
用者によって定められた閾値が入力され、該電気信号の電圧が閾値をこえたか判断するた
めコンパレータ回路を有しており、
前記情報伝達手段は前記コンパレータ回路より前記制御手段に送られてきた比較結果に
基づいて、前記電気信号の電圧が前記閾値をこえた場合は外部に前記光ディスク装置に外
乱が加えられていることを所定の手段で伝え自動車に搭載されることを特徴とする光ディ
スク装置。
【発明の詳細な説明】
【技術分野】
【０００１】
本発明は、防犯装置としても機能する光ディスク装置に関するものである。
【背景技術】
【０００２】
近年、強盗や空き巣等の犯罪の被害が増えており、家屋に防犯装置を備え付ける場合が
増えている。また、自動車の盗難や車上荒しも増加しており、自動車にも防犯装置を取り
付けるのが主流となっている。
【０００３】
前記防犯装置は窓やドア等の開口部に各種センサを取り付けて、該窓やドア等の開口部
が振動したり、開かれたりするとその旨を前記センサが検出して、所定の方法（音声を発
音する、警察に通報する、使用者に連絡する等）にて、犯罪を撃退又は予防するものであ
る。
【０００４】
前記家屋に前記防犯装置を取り付ける場合には取り付け位置の制限はほとんどないが、
前記自動車に前記防犯装置を取り付ける場合、該自動車のスペースの関係上、前記防犯装
置の大きさや取り付け場所に制限がある場合が多い。
【０００５】
そこで、特開2002-274276号公報の発明では、図７に示す光ディスク（ＣＤ)再生装置Ｃ
を自動車用の盗難装置として用いるものが開示されている。すなわち、光ディスクドライ
ブ９１の光ピックアップ９１のフォーカス及びトラッキングのサーボ制御を行うためのフ
ォーカスコイル９３及び（又は）トラッキングコイル９４に生じる電圧を検出する検出回
路９５を備えている。
【０００６】
車両に衝撃やゆれが加わると、光ピックアップ９１のフォーカスコイル９３及びトラッ
キングコイル９４が振動する。これらフォーカスコイル９３及びトラッキングコイル９４
は磁界中に配置されているので、フォーカスコイル９３、トラッキングコイル９４が振動
するとフォーカスコイル９３及び（又は）トラッキングコイル９４には、その振動に応じ
た波形及び大きさの電圧が発生する。
【０００７】
フォーカスコイル９３及び（又は）トラッキングコイル９４で発生した電圧を検出回路
９５で検出することにより、車両に外乱（振動、ゆれ等）が加えられていることを認識し
、警告音を発するものである。
【０００８】
また、前記家屋に設けられる防犯装置としては、窓、扉等の開閉する場所に磁石による
開閉センサと家屋内の熱源を検知する赤外線センサを組み合わせたもの等が広く採用され
ている。
【特許文献１】特開２００２−２７４２７６号公報
【発明の開示】
【発明が解決しようとする課題】
【０００９】
上述の方法ではフォーカスコイル９３及びトラッキングコイル９４が磁界中で振動し、
電磁誘導によりフォーカスコイル９３及びトラッキングコイル９４に起電力が発生する。
その起電力の電圧を検出することでフォーカスコイル９３及びトラッキングコイル９４の
振動、ひいては車両へ外乱が加えられていることを認識するものである。
【００１０】
しかしながら、上記の電磁誘導を用いるものの場合、磁界中を振動するフォーカス及び
トラッキングサーボ制御用のアクチュエータとして電磁誘導を行うもの、すなわちコイル
でなくてはならず、コイル形状以外のサーボ制御のしやすいもの（例えば、ステッピング
モータ）をアクチュエータとして用いることができない。
【００１１】
また、警告音を発して車両の所有者に異常を知らせるのであるが、近くに所有者がいな
い場合、異常を知らせる警告音が発せられても気づかないことがある。また、深夜、早朝
等近所の迷惑になることも多い。
【００１２】
前記家屋に用いられる防犯装置は窓やドアが開かれた場合には、警告を発するが、衝撃
や振動等の外乱が加えられた場合には、対応していない場合が多い。また、装置自体が非
常に大掛かりであり導入、運用共にコストがかかる。
【００１３】
そこで本発明は、特殊な道具や、装置を使用することなく、高い振動検知能力を有する
防犯装置として機能する光ディスク装置を提供することを目的とする。
【００１４】
また本発明は、高い振動検知能力を有する防犯装置として機能し、他の機器と組み合わ
せることで使用者により確実に異常を知らせることができる光ディスク装置を提供するこ
とを目的とする。
【課題を解決するための手段】
【００１５】
上述の目的を達成するために請求項１に示す発明は、光ディスクに常時レーザ光を照射
し、反射してくる光を検出して該光ディスクからデータを読み出す光ピックアップと、前
記光ディスクを回転可能に支持するディスク支持部材と、前記光ピックアップから前記光
ディスクに照射されたレーザ光の一部を検出して該光ディスクの面振れを検出する面振れ
検出手段と、前記面振れ検出手段にて検出された面振れ量を所定値と比較する比較手段と
、前記各部の動作を制御する制御手段と、前記制御手段に入力された前記比較手段からの
比較結果に応じて外部に接続されたホストコンピュータに前記光ディスクが振動している
旨を知らせる情報伝達手段と、を有する光ディスク装置であり、前記光ディスクは前記光
ディスク装置に振動又は衝撃等の外乱が加えられると前記ディスク支持部材を基準に振動
し、前記面振れ検出手段は前記光ピックアップと前記光ディスクの距離を測定することで
、該光ディスクの面振れを検出するものであり、前記光ピックアップより照射され前記光
ディスクにて反射してきたレーザ光を検知して電気信号に変換するフォトディテクタを有
しており、前記比較手段は、前記フォトディテクタより入力される電気信号と、前記制御
手段より使用者によって定められた閾値が入力され、該電気信号の電圧が閾値を越えるか
どうか判断するためコンパレータ回路を有しており、前記情報伝達手段は前記コンパレー
タ回路より前記制御手段に送られてきた比較結果に基づいて、前記電気信号の電圧が前記
閾値よりも大きい場合はインターネットを通じて前記ホストコンピュータに前記光ディス
ク装置に外乱が加えられていることを伝えるものであり、前記ホストコンピュータはイン
ターネットに接続されており、前記光ディスク装置は前記ホストコンピュータに内蔵され
、家屋のホストコンピュータが設置された床面の外乱を検出し、その情報を前記ホストコ
ンピュータに送ることで、前記ホストコンピュータが該ホストコンピュータに接続されて
いるスピーカを駆動して警告音を発生し、カメラにて周囲の状況を撮影すると共に、侵入
者の存在を使用者の携帯端末にインターネットを介して電子メールにて伝える防犯装置を
形成することを特徴とする光ディスク装置を提供する。
【００１６】
この構成によると、光ディスク装置の面振れ検出手段を用いて、光ディスク装置に加わ
る振動を検出することで、光ディスク装置が配置されている床面の近傍に衝撃、振動等の
外乱が加えられている、すなわち、侵入者が侵入していることを認識することができる。
それゆえ、広く用いられている光ディスク装置を用いて、防犯装置を構成することができ
る。
【００１７】
また上述の目的を達成するために請求項２に示す発明は、光ディスクに常時レーザ光を
照射し、反射してくる光を検出して該光ディスクからデータを読み出す光ピックアップと
、前記光ディスクを回転可能に支持するディスク支持部材と、前記光ピックアップから前
記光ディスクに照射されたレーザ光の一部を検出して該光ディスクの面振れを検出する面
振れ検出手段と、前記面振れ検出手段にて検出された面振れ量を所定値と比較する比較手
段と、前記各部の動作を制御する制御手段と、を有する光ディスク装置であり、前記光デ
ィスクは前記光ディスク装置に振動又は衝撃等の外乱が加えられると前記ディスク支持部
材を基準に振動し、前記面振れ検出手段は光ディスクの面振れ量を電気信号として出力す
る電気信号出力装置を備えており、前記比較手段は、前記電気信号出力装置より入力され
る電気信号と、前記制御手段より使用者によって定められた閾値が入力され、該電気信号
の電圧が閾値をこえたか判断するためコンパレータ回路を有しており、前記コンパレータ
回路より前記制御手段に送られてきた比較結果に応じて、所定の手段で前記光ディスク装
置に振動、衝撃等の外乱が加えられていることを使用者に伝えることを特徴とする光ディ
スク装置を提供する。
【００１８】
この構成によると、光ディスク装置を用いて振動、衝撃等の外乱を検出することができ
、それゆえ、簡単、安価に振動検出装置を配置することが可能である。
【００１９】
また上述の目的を達成するために請求項３に示す発明は、光ディスクに常時レーザ光を
照射し、反射してくる光を検出して該光ディスクからデータを読み出す光ピックアップと
、前記光ディスクを回転可能に支持するディスク支持部材と、前記光ピックアップから前
記光ディスクに照射されたレーザ光の一部を検出して該光ディスクの面振れを検出する面
振れ検出手段と、前記面振れ検出手段にて検出された面振れ量を所定値と比較する比較手
段と、前記各部の動作を制御する制御手段と、前記制御手段に入力された前記比較手段か
らの比較結果に応じて外部に接続されたホストコンピュータに前記光ディスクが振動して
いる旨を知らせる情報伝達手段と、を有する光ディスク装置であり、前記光ディスクは前
記光ディスク装置に振動又は衝撃等の外乱が加えられると前記ディスク支持部材を基準に
振動し、前記面振れ検出手段は前記光ピックアップと前記光ディスクの距離を測定するこ
とで、該光ディスクの面振れを検出するものであり、前記光ピックアップより照射され前
記光ディスクにて反射してきたレーザ光を検知して電気信号に変換するフォトディテクタ
を有しており、前記比較手段は、前記フォトディテクタより入力される電気信号と、前記
制御手段より使用者によって定められた閾値が入力され、該電気信号の電圧が閾値を越え
るかどうか判断するためコンパレータ回路を有しており、前記情報伝達手段は前記コンパ
レータ回路より前記制御手段に送られてきた比較結果に基づいて、前記電気信号の電圧が
前記閾値よりも大きい場合はインターネットを通じて前記ホストコンピュータに前記光デ
ィスク装置に外乱が加えられていることを伝えるものであり、前記ホストコンピュータは
インターネットに接続されており、前記光ディスク装置は前記ホストコンピュータに内蔵
される機器であり、家屋のホストコンピュータが設置された床面の外乱を検出し、その情
報を前記ホストコンピュータに送ることで、侵入者の存在を使用者の携帯情報端末にイン
ターネットを介して電子メールにて伝える防犯装置を形成することを特徴とする光ディス
ク装置を提供する。
【００２０】
この構成によると、光ディスク装置をホストコンピュータに接続し、ホストコンピュー
タと接続されたインターネットを介して電子メールにて使用者に侵入者の存在を伝えるの
で、別途インターネット接続を行う必要がなく、簡単、安価に防犯装置を形成することが
可能である。
【００２１】
上述上記構成において、前記光ディスク装置は前記ホストコンピュータに内蔵されるか
わりに、前記ホストコンピュータの外部に外部機器として接続されており、前記光ディス
ク装置は前記家屋の床面、窓、ドアの少なくとも１箇所に接触して配置されることを特徴
とする。
【００２２】
この構成によると、家屋において侵入されやすい場所に光ディスク装置を配置すること
で、より侵入者の発見能力が高い防犯装置を構成することが可能である。
【００２３】
上述の目的を達成するために請求項５に示す発明は、光ディスクに常時レーザ光を照射
し、反射してくる光を検出して該光ディスクからデータを読み出す光ピックアップと、前
記光ディスクを回転可能に支持するディスク支持部材と、前記光ピックアップから前記光
ディスクに照射されたレーザ光の一部を検出して該光ディスクの面振れを検出する面振れ
検出手段と、前記面振れ検出手段にて検出された面振れ量を所定値と比較する比較手段と
、前記各部の動作を制御する制御手段と、前記制御手段に入力された前記比較手段からの
比較結果に応じて前記光ディスクが振動している旨を外部に知らせる情報伝達手段と、を
有する光ディスク装置であり、前記光ディスクは前記光ディスク装置に振動又は衝撃等の
外乱が加えられると前記ディスク支持部材を基準に振動し、前記面振れ検出手段は前記光
ピックアップと前記光ディスクの距離を測定することで、該光ディスクの面振れを検出す
るものであり、前記光ピックアップより照射され前記光ディスクにて反射してきたレーザ
光を検知して電気信号に変換するフォトディテクタを有しており、前記比較手段は、前記
フォトディテクタより入力される電気信号と、前記制御手段より使用者によって定められ
た閾値が入力され、該電気信号の電圧が閾値をこえたか判断するためコンパレータ回路を
有しており、前記情報伝達手段は前記コンパレータ回路より前記制御手段に送られてきた
比較結果に基づいて、前記電気信号の電圧が前記閾値よりも大きい場合は外部に前記光デ
ィスク装置に外乱が加えられていることを伝えるものであり、前記情報伝達手段は使用者
が持っている端末に電波にて情報を伝達すると共に、別途設けられているスピーカから音
声を発生することで使用者及び周囲の人間に警告を発するものであり、自動車内の所定の
場所に設置され、自動車の車両の外部に振動及び衝撃等の外乱が加わると前記光ディスク
が振動し、その情報を前記情報伝達手段に送ることで、前記情報伝達手段が前記スピーカ
を駆動して警告音を発生し、車両の外部に外乱が加わっていることを使用者が持っている
端末に電波を発信して伝えることで防犯装置を形成することを特徴とする光ディスク装置
を提供する。
【００２４】
この構成によると、自動車に設けられており、停車中に使用されていない光ディスク装
置を利用することで、設置場所が小さな自動車に簡単、安価に防犯装置を設置することが
可能である。
【００２５】
また上述の目的を達成するために請求項６に示す発明は、光ディスクに常時レーザ光を
照射し、反射してくる光を検出して該光ディスクからデータを読み出す光ピックアップと
、前記光ディスクを回転可能に支持するディスク支持部材と、前記光ピックアップから前
記光ディスクに照射されたレーザ光の一部を検出して該光ディスクの面振れを検出する面
振れ検出手段と、前記面振れ検出手段にて検出された面振れ量を所定値と比較する比較手
段と、前記各部の動作を制御する制御手段と、前記制御手段に入力された前記比較手段か
らの比較結果に応じて前記光ディスクが振動している旨を外部に知らせる情報伝達手段と
、を有する光ディスク装置であり、前記光ディスクは前記光ディスク装置に振動又は衝撃
等の外乱が加えられると前記ディスク支持部材を基準に振動し、前記面振れ検出手段は前
記光ピックアップと前記光ディスクの距離を測定することで、該光ディスクの面振れを検
出するものであり、前記光ピックアップと前記光ディスクの距離を電気信号として出力し
、前記比較手段は、前記面振れ検出手段より入力される電気信号と、前記制御手段より使
用者によって定められた閾値が入力され、該電気信号の電圧が閾値をこえたか判断するた
めコンパレータ回路を有しており、前記情報伝達手段は前記コンパレータ回路より前記制
御手段に送られてきた比較結果に基づいて、前記電気信号の電圧が前記閾値をこえた場合
は外部に前記光ディスク装置に外乱が加えられていることを所定の手段で伝え自動車に搭
載されることを特徴とする光ディスク装置を提供する。
【００２６】
この構成によると、光ディスク装置を用いた防犯装置で、簡単、安価に防犯機能を付加
することができる。
【発明の効果】
【００２７】
本発明によると、特殊な道具や、装置を使用することなく、高い振動検知能力を有する
防犯装置として機能する光ディスク装置を提供することができる。
【００２８】
また本発明によると、高い振動検知能力を有する防犯装置として機能し、他の機器と組
み合わせることで使用者により確実に異常を知らせることができる光ディスク装置を提供
することができる。
【発明を実施するための最良の形態】
【００２９】
以下に本発明を実施するための最良の形態を図面を参照して説明する。図１は本発明に
かかる光ディスク再生装置の概略配置図である。
【００３０】
図１に示す光ディスク再生装置Ａは、光ディスクＤｓｃの記録層にレーザ光を照射し、
反射光を検出することでデータを読み取る光ピックアップ１と、光ディスクＤｓｃを回動
可能に支持する支持部材２と、光ピックアップ１より光ディスクＤｓｃに照射され反射さ
れたレーザ光の一部を検出する面振れ検出手段３と、面振れ検出手段３にて検出された面
振れ量と所定値を比較する比較手段４と、光ディスク再生装置Ａの動作を制御する制御手
段５と、制御手段５に入力された情報に基づいて光ディスクＤｓｃが面振れしていること
を外部に出力する情報伝達手段６とを備えている。
【００３１】
支持部材２はスピンドルモータ２１を備えており、スピンドルモータ２１の回動に伴っ
て光ディスクＤｓｃを一定速度で回転させる。支持部材２は光ディスクＤｓｃの中央を支
持しており、光ディスクＤｓｃは支持部材２を支点に振動する。
【００３２】
面振れ検出手段３は、光ピックアップ１より照射され、光ディスクＤｓｃにて反射され
たレーザ光のうち一部を検知して、その光を電気信号に変換するフォトディテクタ３１を
備えている。フォトディテクタ３１にて変換された電気信号の電圧は、後述するように、
振動するものである。面振れ検出手段３は光ディスクＤｓｃを再生しているときは、光デ
ィスクの回転による面振れ等を検出する検出手段として機能している。
【００３３】
比較手段４は制御手段５と接続しており、フォトディテクタ３１にて変換された電気信
号を増幅するアンプ４１と、制御手段５より入力される閾値をデジタル信号からアナログ
信号に変換するＤ／Ａコンバータ４２と、フォトディテクタ３１にて変換され、アンプ４
１にて増幅された電気信号と制御手段５より入力される閾値とを比較するコンパレータ回
路４３とを有している。コンパレータ回路４３にて比較した結果は、制御手段５に出力さ
れる。
【００３４】
情報伝達手段６は制御手段５がコンパレータ回路４３より受信した比較結果を、外部に
設けられた機器（ここではホストコンピュータＨＣ）に伝達するものである。また、情報
伝達手段６自体がインターネット接続機能や、無線機能を有していてもよい。その場合、
ホストコンピュータＨＣのような外部機器は不要となりより簡単な形式で、後述するよう
な振動検出システムを構築することが可能である。
【００３５】
図２に面振れ手段の動作に伴う電気信号を示す。上述したように、光ピックアップ１よ
り照射されたレーザ光の一部は光ディスクＤｓｃで反射され、フォトディテクタ３１にて
電気信号に変換される。図２（Ａ）に示すように光ディスクＤｓｃが支持部材２と垂直に
位置しているとき、換言すると光ピックアップ１と光ディスクＤｓｃの距離が規定長さＬ
１のとき、電気信号Ｓ１の電圧と時間のグラフは、原点を基点とする正弦波として表され
る。
【００３６】
図２（Ｂ）に示すように光ディスクＤｓｃのレーザ光照射分が光ピックアップ１側に傾
いている場合、換言すると光ピックアップ１と光ディスクＤｓｃの距離が規定長さより短
いＬ２の場合、電気信号Ｓ２の電圧と時間のグラフは、電圧正方向にオフセットする。
【００３７】
図２（Ｃ）に示すように光ディスクＤｓｃのレーザ光照射部が光ピックアップ１側と反
対側に傾いている場合、換言すると光ピックアップ１と光ディスクＤｓｃの距離が規定長
さより長いＬ３の場合、電気信号Ｓ３の電圧と時間のグラフは、電圧負方向にオフセット
する。
【００３８】
光ディスクＤｓｃは常にわずかながら振動しており、フォトディテクタ３１にて変換さ
れ、出力された電気信号はわずかに上下にオフセットを繰り返している。このとき、光デ
ィスク再生装置Ａに外部よりの衝撃又は振動等の外乱が加えられたとき、光ディスクＤｓ
ｃは大きく振動する。
【００３９】
図３に光ディスクが大きく振動したときの比較手段に入力された電気信号を示す。
【００４０】
図３に示す電気信号Ｓ４は光ディスクＤｓｃの振動が大きい、すなわち光ディスク再生
装置Ａに衝撃、振動等の外乱が加えられたものであり、電圧０より大きくオフセットして
いる。電気信号Ｓ４のオフセット量は光ディスクＤｓｃの振動の振幅の大きさに比例して
大きくなるものである。
【００４１】
コンパレータ回路４３に入力された電気信号Ｓ４は制御手段５よりＤ／Ａコンバータ４
２を介して入力された閾値Ｇｎと比較される。ここで、閾値Ｇｎはデジタル信号として制
御手段５より出力され、Ｄ／Ａコンバータ４２でアナログ信号に変換されコンパレータ回
路４３に入力される。
【００４２】
図３に示すように閾値Ｇｎと電気信号Ｓ４を比較すると、電気信号Ｓ４は閾値Ｇｎをこ
えた部分αを有している。電気信号Ｓ４が閾値Ｇｎをこえた場合、コンパレータ回路４３
は「ＨＩ」信号を出力し、図２各図に示すようにオフセットが無いかごく小さい場合には
、電気信号は閾値Ｇｎをこえることがなくその場合には、コンパレータ回路４３は「ＬＯ
」信号を出力する。すなわち、コンパレータ回路４３は光ディスク再生装置Ａに外乱が加
わっていないときは常に「ＬＯ」信号が発信されており、電気信号Ｓ４のように閾値Ｇｎ
をこえたときのみ「ＨＩ」信号が出力される。
【００４３】
制御手段５は比較手段４より「ＨＩ」信号を受信した場合に、外部機器であるホストコ
ンピュータＨＣに対して情報伝達手段６を介して、光ディスク再生装置Ａに衝撃、振動等
の外乱が加えられている旨の警戒信号を出力する。
【００４４】
ここで、電気信号Ｓ４のオフセット量は光ディスクＤｓｃの振動振幅に比例して大きく
なるものであるから、閾値Ｇｎの大きさを適当に変えてやることで、光ディスク再生装置
Ａに加えられる外乱の大きさを調整することができる。すなわち、閾値を小さく設定した
場合、比較手段４は光ディスク再生装置Ａに加えられる外乱が小さくても「ＨＩ」信号を
出力するし、閾値を大きく設定した場合は、小さな外乱では「ＨＩ」信号は出力されない
。
【００４５】
図４に本発明にかかる光ディスク再生装置を家屋の防犯装置として用いるものの概略図
を示す。
【００４６】
図４に示す光ディスクＤｓｃは、ホストコンピュータＨＣに、それには限定されないが
ここでは情報伝達手段６としてＵＳＢ（Universal Serial Bus）経由で外部接続されてい
る。光ディスク再生装置Ａは光ディスクＤｓｃが挿入された状態で、床面ＦＬに配置され
ている。
【００４７】
ホストコンピュータＨＣはインターネットに接続されていると共に、スピーカＳＰ及び
カメラＣＡＭが接続されており、スピーカＳＰに音声信号を出力して任意の音声を出力す
ることが可能であり、また、カメラＣＡＭに指示を送り周囲の状況を撮影する。
【００４８】
ホストコンピュータＨＣは常に電源投入されており、光ディスク再生装置Ａより所定の
信号を受信したときに所定の動作を行うものである。光ディスク再生装置Ａは、挿入され
た光ディスクＤｓｃの面振れを常時、面振れ検出手段３を用いて検出している。
【００４９】
図４に示すように床面ＦＬに光ディスク再生装置Ａを配置した場合、床面ＦＬを人間が
歩くと、床面ＦＬがわずかに振動する。床面ＦＬの振動が光ディスク再生装置Ａに伝播し
、光ディスクＤｓｃが振動する。面振れ検出手段３は光ディスクＤｓｃの読み出しに支障
のある面振れを検出するものであり、わずかな振動でも検出することが可能である。
【００５０】
比較手段４に入力される閾値Ｇｎとして大きい値を与えることで光ディスク再生装置Ａ
が受ける衝撃、振動等の外乱が小さいものであれば比較手段４は制御手段５に「ＬＯ」信
号を出力しつづけ、閾値として小さい値を与えることで小さな外乱でも比較手段４は制御
手段５に「ＨＩ」信号を出力する。
【００５１】
ホストコンピュータＨＣは防犯モードを備えている。ホストコンピュータＨＣは防犯モ
ードの場合、制御手段５から出力される警戒信号を受信すると、予めホストコンピュータ
ＨＣに組み込まれている防犯アプリケーション等にしたがって、インターネットを経由し
て使用者の携帯端末に侵入者が家屋に侵入した警告を促す電子メールを送ると共に、スピ
ーカＳＰにて警告音を発音し、カメラＣＡＭにて周囲の状況を撮影する。
【００５２】
図５に図４に示す光ディスク再生装置を家屋の防犯装置として用いるものの動作を示す
フローチャートを示す。
【００５３】
まず、光ディスク再生装置Ａを振動、衝撃等の外乱を検出したい場所（窓、ドア、床面
等、ここでは床面）に配置する（ステップＳ１１）。床面ＦＬに光ディスク再生装置Ａを
設置した後にホストコンピュータＨＣを防犯モードにセットされたかどうか検出する（ス
テップＳ１２）。光ディスク再生装置Ａが防犯モードに設定されていない場合（ステップ
Ｓ１２にてＮＯの場合）、前に戻って防犯モードに設定される間で待機する。光ディスク
再生装置Ａが防犯モードに設定されている場合（ステップＳ１２でＹＥＳの場合）、比較
手段４が制御手段５に対して「ＨＩ」信号を出力したかどうか検出する（ステップＳ１３
）。
【００５４】
比較手段４より制御手段５に「ＬＯ」信号が出力されている場合（ステップＳ１３でＮ
Ｏの場合）、ステップＳ１３の前に戻り「ＨＩ」信号の検出を行う。比較手段４が制御手
段５に対して「ＨＩ」信号が出力した場合（ステップＳ１３でＹＥＳの場合）、制御手段
５は情報伝達手段６（ここではＵＳＢ）を経由してホストコンピュータＨＣに警戒信号を
出力する（ステップＳ１４）。
【００５５】
ホストコンピュータＨＣは警戒信号を受け取ると、インターネット経由で使用者の携帯
端末に侵入者が家屋に侵入した警告を促す電子メールを送る（ステップＳ１５）。また、
ホストコンピュータＨＣはスピーカＳＰを駆動して警告音を出力し（ステップＳ１６）、
カメラＣＡＭで周囲の状況を撮影する（ステップＳ１７）。
【００５６】
また、家屋用の防犯システムを備えている場合、その防犯システムと連動するようにホ
ストコンピュータＨＣを設定することで、より強固な防犯システムを構築することが可能
である。さらに、上記例ではホストコンピュータＨＣにてインターネット経由で使用者の
携帯端末に電子メールを送り、スピーカＳＰから警告音を出力し、カメラＣＡＭで周囲の
状況を撮影するものを例示しているが、情報伝達手段６がインターネット接続機能を有し
ている場合、情報伝達手段６が直接インターネット経由で使用者の携帯端末に電子メール
を送るようにしてもよい。また、制御手段５がスピーカＳＰ、カメラＣＡＭを直接動作制
御してもよい。
【００５７】
上述の例では防犯装置として、スピーカ、カメラを例示しているがそれに限定されるも
のではなく、侵入者を威嚇したり、退去を促したりするものや、侵入を思いとどまらせる
効果があるものを広く採用することができる。
【００５８】
図６に本発明の光ディスク再生装置を自動車に取り付けたときの概略配置図を示す。
【００５９】
図６に示す光ディスク再生装置Ｂは、自動車Ｃａｒのオーディオ機器として取り付けら
れており、自動車Ｃａｒの制御装置７と情報伝達手段８を介して接続されている。光ディ
スク再生装置Ｂは図１に示す光ディスク再生装置Ａと同一の構造を有している。
【００６０】
自動車Ｃａｒに物体が衝突したり、自動車Ｃａｒを振動させたりすると、自動車Ｃａｒ
に加えられた衝撃や振動が光ディスク再生装置Ｂ内の光ディスクＤｓｃを支持部材２を支
点に振動する。光ディスクＤｓｃが所定の大きさよりも大きな振幅で振動すると、比較手
段４が制御手段５に対して「ＨＩ」信号を出力する。「ＨＩ」信号を受け取った制御手段
５は、情報伝達手段８を介して自動車Ｃａｒの制御装置７に信号を送り、警笛装置Ｐｈか
ら警笛を出力させたり、ヘッドライトＨＬを点滅させたりする。また、トランスミッタＴ
ｍを駆動して使用者が所持している受信機Ｒｖに電波を送信し、自動車Ｃａｒに外乱が加
えられていることを通知する。
【００６１】
上記例においては、光ディスク装置として光ディスク再生装置を例にとって説明してい
るが、それに限定されるものではなく、光ディスク記録再生装置等面振れ検出手段、比較
手段、情報伝達手段を備えた光ディスクドライブを広く採用することが可能である。また
光ディスク再生装置はホストコンピュータ（外部機器）に外付けで設けられるものを例示
しているがそれに限定されるものではなく、内蔵タイプであっても、振動を検出できるも
のを広く採用することが可能である。
【００６２】
本実施例では面振れ検出手段には、フォトディテクタを用いたものを例示しているがそ
れに限定されるものではなく、光ディスクの振動を電気信号に変換することができるもの
を広く採用することができる。
【００６３】
以上のように、家屋の侵入者検出装置や自動車の盗難防止装置として光ディスク再生装
置Ａ、Ｂを用いるものを例示しているが、それに限定されるものではなく、振動の発生を
素早く検知したい場所に配置して振動検出器として広く用いることが可能である。
【図面の簡単な説明】
【００６４】
【図１】本発明にかかる光ディスク装置の一例である光ディスク再生装置の概略配置を示す図である。
【図２】図（Ａ）〜図（Ｃ）は光ディスクの状態による面振れ検出手段から出力される電気信号を示す図である。
【図３】大きな衝撃が光ディスク再生装置に加わったときの面振れ検出手段から出力される電気信号を示す図である。
【図４】本発明にかかる光ディスク装置を床面に設置して防犯装置として用いた例の概略図である。
【図５】図４に示す防犯装置の動作を示すフローチャートである。
【図６】本発明にかかる光ディスク装置を自動車の防犯装置として用いた例の概略図である。
【図７】従来の光ディスク装置の概略配置図である。
【符号の説明】
【００６５】
Ａ  光ディスク再生装置
１  光ピックアップ
２  支持部材
２１  スピンドルモータ
３  面振れ検出手段
３１  フォトディテクタ
４  比較手段
４１  アンプ
４２  Ｄ／Ａコンバータ
４３  コンパレータ回路
５  制御手段
６  情報伝達手段
７  制御装置
８  情報伝達手段
ＨＣ  ホストコンピュータ
Ｄｓｃ  光ディスク
ＳＰ  スピーカ
ＣＡＭ  カメラ
【図１】
2005107622.tif 000003
【図２】
2005107622.tif 000004
【図３】
2005107622.tif 000005
【図４】
2005107622.tif 000006
【図５】
2005107622.tif 000007
【図６】
2005107622.tif 000008
【図７】
2005107622.tif 000009